(57)【要約】【課題】  １個のレリーズボタンを有し、左右のいずれの利き手のユーザーでも操作性が同じとされた撮像装置を提供する。【解決手段】  レンズ１４は、筐体１２の中央部に配置され、レリーズボタン１６及びストロボ発光部１８は、筐体１２の水平方向の水平中央線Ｈ上に配置されている。筐体１２の背面の第１入力キー２１、第２入力キー２２、第３入力キー２３、第４入力キー２４、第５入力キー２５、第６入力キー２６、第７入力キー２７、第８入力キー２８、及び、第９入力キー２９、は、水平中央線Ｈを挟んで線対称となるように配置されている。【選択図】  図１
2005333340.tif 000002
【特許請求の範囲】
【請求項１】
筐体と、
前記筐体の前面に設けられた撮像用レンズと、
前記筐体が所定の右手操作用状態とされているときには右手で操作可能な右位置に配置され、前記右手操作用状態から前記撮像用レンズの光軸周りに１８０°回転させた左手操作用状態とされているときには、前記右位置と前記筐体の鉛直方向の中心線を挟んで左右対称の位置となる左位置に配置されるレリーズボタンと、
前記レリーズボタンとは異なる複数の入力キーで構成され、前記筐体が前記左手撮影状態とされたときに、前記筐体が前記右手撮影状態とされているときの各々の入力キーに対して前記筐体の鉛直方向の中心線を挟んで左右対称となる位置にいずれかの入力キーが一対一で対応するように配置された入力キー群と、
前記筐体の姿勢を検知可能な姿勢検知手段と、
前記姿勢検知手段により検知された前記筐体の姿勢に基づいて、前記筐体が前記右手操作用状態とされているときと、前記左手操作用状態とされているときとで、前記入力キーへの入力操作が左右対称または左右同一となるように各入力キーへの機能の割り当てを行なう、機能割り当て手段と、
を備えた撮像装置。
【請求項２】
前記姿勢検知手段により検知された前記筐体の姿勢に応じた方向で、所定の情報を表示可能とされた表示部、をさらに備えたことを特徴とする、請求項１に記載の撮像装置。
【請求項３】
筐体と、
前記筐体の前面に設けられた撮像用レンズと、
前記筐体が所定の右手操作用状態とされているときには右手で操作可能な右位置に配置され、前記右手操作用状態から前記撮像用レンズの光軸周りに１８０°回転させた左手操作用状態とされているときには、前記右位置と前記筐体の鉛直方向の中心線を挟んで左右対称の位置となる左位置に配置されるレリーズボタンと、
前記筐体の姿勢を検知可能な姿勢検知手段と、
複数の入力用タッチキーからなるタッチキー群を表示可能とされ、前記姿勢検知手段により検知された前記筐体の姿勢に基づいて、前記筐体が前記右手操作用状態とされているときと、前記左手操作用状態とされているときとで、前記入力用タッチキーへの入力操作が左右対称または左右同一となるように前記タッチキー群の表示位置を切換え可能とされた表示部と、
を備えた撮像装置。
【発明の詳細な説明】
【技術分野】
【０００１】
本発明は、撮像装置に係り、特に、レリーズボタンを備えた撮像装置に関する。
【背景技術】
【０００２】
通常、右利き用のカメラは、左利きのユーザーには使い難いため、右利き、左利きの両方のユーザーにとって使いやすくするために、様々な技術が提案されている。例えば、特許文献１では、レリーズボタンを２個設けることにより、左右いずれの利き手のユーザーでもレリーズしやすいカメラが提案されている。しかしながら、特許文献１に記載のカメラでは、レリーズ機能を割り当てる入力キーを２個設ける必要があり、部品点数が増加してしまう。
【０００３】
一方、特許文献２では、レリーズボタンをカメラ前面の撮影レンズの側方に配置し、カメラを撮影レンズの光軸周りに回転させることにより、レリーズボタンを右利きのユーザー用の右側、もしくは左利きのユーザー用の左側に配置させることの可能なカメラが提案されている。確かに、特許文献２に記載の技術では、レリーズボタンを１個にすることができる。しかしながら、その他の入力キーについては、左右で同様に扱うことができるものではないため、どちらかの利き手のユーザーの操作性が悪くなる場合がある。
【特許文献１】特開２００４−７８０８０号公報
【特許文献２】特開２００１−３１８４２１号公報
【発明の開示】
【発明が解決しようとする課題】
【０００４】
本発明は、上記事実を考慮して成されたものであり、１個のレリーズボタンを有し、左右のいずれの利き手のユーザーでも操作性が同じとされた撮像装置を提供することを目的とする。
【課題を解決するための手段】
【０００５】
上記課題を解決するために、請求項１に記載の撮像装置は、筐体と、前記筐体の前面に設けられた撮像用レンズと、前記筐体が所定の右手操作用状態とされているときには右手で操作可能な右位置に配置され、前記右手操作用状態から前記撮像用レンズの光軸周りに１８０°回転させた左手操作用状態とされているときには、前記右位置と前記筐体の鉛直方向の中心線を挟んで左右対称の位置となる左位置に配置されるレリーズボタンと、前記レリーズボタンとは異なる複数の入力キーで構成され、前記筐体が前記左手撮影状態とされたときに、前記筐体が前記右手撮影状態とされているときの各々の入力キーに対して前記筐体の鉛直方向の中心線を挟んで左右対称となる位置にいずれかの入力キーが一対一で対応するように配置された入力キー群と、前記筐体の姿勢を検知可能な姿勢検知手段と、前記姿勢検知手段により検知された前記筐体の姿勢に基づいて、前記筐体が前記右手操作用状態とされているときと、前記左手操作用状態とされているときとで、前記入力キーへの入力操作が左右対称または左右同一となるように各入力キーへの機能の割り当てを行なう、機能割り当て手段と、を含んで構成されている。
【０００６】
請求項１の撮像装置は、筐体と、筐体の前面に設けられた撮像用レンズと、レリーズボタンとを備えている。レリーズボタンは、筐体が所定の右手操作用状態とされているときには右手で操作可能な右位置に配置され、筐体が前記右手操作用状態から前記撮像用レンズの光軸周りに１８０°回転させた左手操作用状態にされると、筐体の鉛直方向の中心線に対して右位置と左右対称の位置となる左位置に配置される。したがって、同一のレリーズボタンを右位置に配置させた場合と、左位置に配置させた場合とでは、右手と左手の操作感が同じになる。
【０００７】
また、請求項１の撮像装置は、レリーズボタンとは異なる複数の入力キーで構成された入力キー群を備える。入力キー群の各々の入力キーは、筐体が左手撮影状態とされたときに、筐体が右手撮影状態とされているときの各々の入力キーに対して筐体の鉛直方向の中心線を挟んで左右対称となる位置にいずれかの入力キーが一対一で対応するように、配置されている。そして、筐体の姿勢を検知可能な姿勢検知手段によって検知された筐体の姿勢に基づいて、筐体が右手操作用状態とされているときと、左手操作用状態とされているときとで、入力キーから入力される機能が左右対称または左右同一となるように各入力キーへの機能の割り当てを行なう。
【０００８】
この構成によれば、撮像装置の筐体が右手操作用状態のときの右手での操作感と、左手操作用状態のときの左手での操作感とを同じにすることができる。したがって、右利きのユーザーにも、左利きのユーザーにも同様の操作感を提供することができる。
【０００９】
なお、本発明の撮像装置は、請求項２に記載のように、前記姿勢検知手段により検知された前記筐体の姿勢に応じた方向で、所定の情報を表示可能とされた表示部を、さらに備えたことを特徴とすることもできる。
【００１０】
請求項２に記載の撮像装置は、所定の情報を表示可能とされた表示部を備えている。ここでの表示部は、撮影画像を表示する液晶ディスプレイ（ＬＣＤ）や、各入力キーの機能を表示する入力キー毎に設けられたＬＣＤ表示部などをいい、所定の情報とは、文字、記号、画像などによって示される、あらゆる情報を含む。ユーザーにとって所定の情報の見やすい方向での表示は、筐体の姿勢によって異なる。そこで、姿勢検知手段により検知された筐体の姿勢に応じた方向で、所定の情報を表示する。これにより、筐体の姿勢に応じて、ユーザーが見やすい方向での表示を行なうことができる。
【００１１】
請求項３の撮像装置は、筐体と、前記筐体の前面に設けられた撮像用レンズと、前記筐体が所定の右手操作用状態とされているときには右手で操作可能な右位置に配置され、前記右手操作用状態から前記撮像用レンズの光軸周りに１８０°回転させた左手操作用状態とされているときには、前記右位置と前記筐体の鉛直方向の中心線を挟んで左右対称の位置となる左位置に配置されるレリーズボタンと、複数の入力用タッチキーからなるタッチキー群を表示可能とされ、前記姿勢検知手段により検知された前記筐体の姿勢に基づいて、前記筐体が前記右手操作用状態とされているときと、前記左手操作用状態とされているときとで、前記入力用タッチキーへの入力操作が左右対称または左右同一となるように前記タッチキー群の表示位置を切換え可能とされた表示部と、を含んで構成されている。
【００１２】
請求項３の撮像装置は、筐体と、筐体の前面に設けられた撮像用レンズと、レリーズボタンとを備えている。レリーズボタンは、筐体が所定の右手操作用状態とされているときには右手で操作可能な右位置に配置され、筐体が前記右手操作用状態から前記撮像用レンズの光軸周りに１８０°回転させた左手操作用状態にされると、筐体の鉛直方向の中心線に対して右位置と左右対称の位置となる左位置に配置される。したがって、同一のレリーズボタンを右位置に配置させた場合と、左位置に配置させた場合とでは、右手と左手の操作感が同じになる。
【００１３】
また、表示部に表示される複数の入力用タッチキーからなるタッチキー群は、姿勢検知手段により検知された筐体の姿勢に基づいて、筐体が右手操作用状態とされているときと左手操作用状態とされているときとで、入力用タッチキーへの入力操作が左右対称または左右同一となるように、表示部への表示位置が切換えられる。
【００１４】
このように、タッチキー群の表示位置を切り換えることにより、撮像装置の筐体が右手操作用状態のときの右手での操作感と、左手操作用状態のときの左手での操作感とを同じにすることができる。したがって、右利きのユーザーにも、左利きのユーザーにも同様の操作感を提供することができる。
【発明の効果】
【００１５】
以上説明したように、本発明の撮像装置によれば、１個のレリーズボタンを有し、左右のいずれの利き手のユーザーでも操作性が同じとされた撮像装置を提供することができる。
【発明を実施するための最良の形態】
【００１６】
［第１実施形態］
以下、図面を参照して本発明の撮像装置の第１実施形態について説明する。本実施形態では、撮像装置としてデジタルカメラを例に説明するが、本発明は、カメラ付き携帯電話や、銀塩カメラ、ビデオカメラなどにも適用することが可能である。
【００１７】
本実施形態のデジタルカメラ１０は、図１（Ａ）に示すように、筐体１２を備え、筐体１２の前面にレンズ１４、レリーズボタン１６、及び、ストロボ発光部１８を備える。レンズ１４は、筐体１２の中央部に配置され、レリーズボタン１６及びストロボ発光部１８は、筐体１２の水平方向の水平中央線Ｈ上に配置されている。
【００１８】
筐体１２の背面には、図１（Ｂ）に示すように、液晶ディスプレイ（以下「ＬＣＤ」という）２０、第１入力キー２１、第２入力キー２２、第３入力キー２３、第４入力キー２４、第５入力キー２５、第６入力キー２６、第７入力キー２７、第８入力キー２８、第９入力キー２９、を備える。これら第１入力キー２１〜第９入力キー２９の入力キーにより、入力キー群Ｇが構成されている。第１入力キー２１、第２入力キー２２、第３入力キー２３、第４入力キー２４、第５入力キー２５、第６入力キー２６、第７入力キー２７、第８入力キー２８、及び、第９入力キー２９、は、水平中央線Ｈを挟んで線対称となるように配置されている。
【００１９】
図１（Ｃ）（Ｄ）は、デジタルカメラ１０を図１（Ａ）（Ｂ）の状態からレンズ１４の光軸Ｌ周りに１８０°回転させた向きで示す図である。図１（Ａ）（Ｂ）に示す筐体１２の状態から光軸Ｏ周りに上下各々９０°以内、計１８０°の範囲内の状態を右手操作用状態Ｒとし、図１（Ｃ）（Ｄ）に示す筐体１２の状態から光軸Ｏ周りに上下各々９０°以内、計１８０°の範囲内の状態を左手操作用状態Ｌとする。筐体１２が右手操作用状態Ｒのときには、図１（Ａ）に示すように、レリーズボタン１６は、ユーザーが筐体１２の背面側からデジタルカメラ１０を保持した際に、右手で操作可能な右位置に配置されている。筐体１２が左手操作用状態Ｌのときには、図１（Ｃ）に示すように、レリーズボタン１６は、ユーザーが筐体１２の背面側からデジタルカメラ１０を保持した際に、左手で操作可能な左位置に配置されている。
【００２０】
また、図１（Ｂ）及び図１（Ｄ）に示すように、筐体１２の鉛直方向の鉛直中央線をＥとすると、筐体１２が左手操作用状態Ｒとされたときには、筐体１２が右手操作用状態Ｒとされたときの第１入力キー２１、第２入力キー２２、第３入力キー２３、第４入力キー２４、第５入力キー２５、第６入力キー２６、第７入力キー２７、第８入力キー２８、第９入力キー２９、の位置と鉛直中央線Ｅを挟んで線対称の位置に、第１入力キー２１〜第９入力キー２９の入力キーのいずれかが対応するように配置される。すなわち、１８０°回転させても、入力キー群Ｇは、鉛直中央線Ｅを挟んで線対称の配置となる。
【００２１】
図２にデジタルカメラ１０の制御系の概略ブロック図を示す。デジタルカメラ１０には、レンズ１４を通過する光量を調整する絞り３２、光の通過時間を調整するシャッタ３４、及び、光を光電変換してアナログ画像信号を出力するＣＣＤ３６が備えられている。
【００２２】
ＣＣＤ３６はアナログ信号処理部３８と接続され、アナログ信号処理部３８はアナログ／デジタル変換器（以下、「Ａ／Ｄ変換器」という）４０と接続され、Ａ／Ｄ変換器４０はデジタル信号処理部４２と接続されている。アナログ信号処理部３８は、ＣＣＤ３６から入力された信号に対して所定のアナログ信号処理を施す。Ａ／Ｄ変換器４０は、アナログ信号処理部３８から入力されたアナログ信号をデジタル信号に変換してデジタル信号処理部４２へ出力する。デジタル信号処理部４２は、入力されたデジタル信号に対して各種の処理を行い、デジタル画像データを生成する。
【００２３】
また、デジタルカメラ１０には、ＣＰＵ５０、内部メモリ５２、表示制御部５４、記録制御部５６、が備えられている。表示制御部５４は、ＬＣＤ２０と接続されており、画像情報や文字、記号などをＬＣＤ２０へ表示するためのデータ処理を行なう。なお、ＬＣＤ２０への、文字、情報などの表示は、後述する姿勢検知センサ３０によって検出された筐体１２の姿勢に応じた、ユーザー側から見やすい方向で表示されるように制御される。前述のデジタル信号処理部４２、ＣＰＵ５０、内部メモリ５２、表示制御部５４、記録制御部５６は、バス５９を介して相互に接続されている。
【００２４】
ＣＰＵ５０は各種のプログラムを実行するなどしてデジタルカメラ１０全体の制御を行う。ＣＰＵ５０は、入力キー群Ｇ、レリーズボタン１６、及び姿勢検知センサ３０と接続されている。入力キー群Ｇ、及びレリーズボタン１６からは、各種の指示が入力される。姿勢検知センサ３０は、筐体１２の姿勢を検知可能とされており、加速度センサや重力センサなどを用いることができる。姿勢検知センサ３０からは、筐体１２が前述の右手操作用状態Ｒの姿勢の時に右姿勢信号ＳＲが出力され、筐体１２が前述の左手操作用状態Ｌの姿勢の時に左姿勢信号ＳＬが出力される。出力された右姿勢信号ＳＲ、左姿勢信号ＳＬは、ＣＰＵ５０へ入力される。
【００２５】
内部メモリ５２にはデジタル信号処理部４２で生成されたデジタル画像データ、デジタルカメラ１０の制御用の各種プログラム等が記憶されている。また、内部メモリ５２には、図３に示す、機能割り当てテーブルＴが記憶されている。機能割り当てテーブルＴには、第１入力キー２１〜第９入力キー２９の各入力キーの機能について、筐体１２が右手操作用状態Ｒ、左手操作用状態Ｌの各々の時の割り当ての対応関係が記憶されている。ここでの機能の割り当ては、各入力キーから入力される機能が、右手操作用状態Ｒのときと、左手操作用状態Ｌのときとで、左右同一となるように行なわれている。
【００２６】
なお本実施形態では、右手操作用状態Ｒと左手操作用状態Ｌとで、前述のように左右同一となるように機能の割り当てが行なわれたが、機能によっては、右手操作用状態Ｒと左手操作用状態Ｌとで、鉛直中央線Ｅを挟んで左右線対称となるように割り当てを行なってもよい。
【００２７】
記録制御部５６は外部メモリ６０と接続可能とされており、外部メモリ６０へデジタル画像データを書き込む処理、及び、外部メモリ６０からデジタル画像データを読出す処理を実行可能とされている。表示制御部５４はＬＣＤ１８と接続されており、ＬＣＤ１８へ画像等を表示するための所定の処理を行う。
【００２８】
さらに、デジタルカメラ１０には、レンズ１４を駆動させるためのレンズ駆動部６２、絞り３２を駆動させるための絞り駆動部６４、シャッタ３４を駆動させるためのシャッタ駆動部６６、及び、ＣＣＤ３６に対する撮影時のタイミング制御を行うＣＣＤ制御部６８が備えられている。レンズ駆動部６２、絞り駆動部６４、シャッタ駆動部６６、及び、ＣＣＤ制御部６８は、ＣＰＵ５０と接続されている。
【００２９】
次に、本実施形態の作用について説明する。
【００３０】
ユーザーがデジタルカメラ１０を使用する場合には、デジタルカメラ１０の筐体１２を右手操作用状態Ｒ（図１（Ａ）（Ｂ）参照）または、左手操作用状態Ｌ（図１（Ｃ）（Ｄ）参照）とする。これにより、姿勢検知センサ３０から右姿勢信号ＳＲ、または左姿勢信号ＳＬがＣＰＵ５０へ出力され、ＣＰＵ５０では、図４に示す、機能割り当て処理が実行される。
【００３１】
ステップＳ１０で、入力された信号が右姿勢信号ＳＲかどうかを判断する。判断が肯定された場合には、ステップＳ１２で、機能割り当てテーブルＴの、右手操作用割り当てが読み出され、ステップＳ１４で、読み出された割り当てに基づいて第１入力キー２１〜第９入力キー２９へ各機能が割り当てられる。これにより、第１入力キー２１はズーム（Ｗ）として、第２入力キー２２はズーム（Ｔ）として、第３入力キー２３は上側へカーソルを移動させるための上キーとして、第４入力キー２４は左側へカーソルを移動させるための左キーとして、第５入力キー２５は、メニュー画面の表示指示、または画面上での選択ＯＫ指示の入力用として、第６入力キー２６は右側へカーソルを移動させるための右キーとして、第７入力キー２７は下側へカーソルを移動させるための下キーとして、第８入力キー２８はＬＣＤへのスルー表示の指示入力用として、第９入力キー２９は画面表示を１つ前の表示へ戻すＢＡＣＫキーとして、各々使用されるようになる。
【００３２】
そして、ステップＳ１６で、文字その他の情報の表示を、図５（Ａ）に示すように、筐体１２が右手操作用状態Ｒのときにユーザーが見やすい方向の表示とするように、表示制御部５４へ指示を出力する。これにより、ＬＣＤ２０への文字その他の情報の表示は、適正な方向で行なわれる。
【００３３】
一方、ステップＳ１０での判断が否定された場合には、ステップＳ１８で、機能割り当てテーブルＴの、左手操作用割り当てが読み出され、ステップＳ２０で、読み出された割り当てに基づいて第１入力キー２１〜第９入力キー２９へ各機能が割り当てられる。これにより、第１入力キー２１はＢＡＣＫキーとして、第２入力キー２２はディスプレイへのスルー表示の指示入力用として、第３入力キー２３は下キーとして、第４入力キー２４は右キーとして第５入力キー２５は、メニュー画面の表示指示、または画面上での選択ＯＫ指示の入力用として、第６入力キー２６は左キーとして、、第７入力キー２７は上キーとして、第８入力キー２８はズーム（Ｔ）として、第９入力キー２９はズーム（Ｗ）として、各々使用されるようになる。
【００３４】
そして、ステップＳ２２で、文字その他の情報の表示を、図５（Ｂ）に示すように、筐体１２が左手操作用状態Ｌのときにユーザーが見やすい方向の表示とするように、表示制御部５４へ指示を出力する。これにより、ＬＣＤ２０への文字その他の情報の表示は、適正な方向で行なわれる。
【００３５】
本実施形態によれば、上記のように、各入力キーの機能を変更するので、筐体１２が右手操作用状態Ｒのときの右手での操作感と、左手操作用状態Ｌのときの左手での操作感とを同じにすることができる。したがって、右利きのユーザーにも、左利きのユーザーにも同様の操作感を提供することができる。
【００３６】
なお、本実施形態では、各入力キーの機能表示を行なっていないが、図６に示すように、第１入力キー２１、第２入力キー２２、第８入力キー２８、第９入力キー２９の各々の機能表示を行なうための第１機能表示部２１Ａ、第２機能表示部２２Ａ、第８機能表示部２８Ａ、第９機能表示部２９Ａを設けてもよい。この場合には、姿勢検知センサ３０から右姿勢信号ＳＲ、または左姿勢信号ＳＬがＣＰＵ５０へ出力されると、上記の機能割り当て処理に加えて、図７に示す、機能表示処理が実行される。
【００３７】
機能表示処理では、ステップＳ３０で、入力された信号が右姿勢信号ＳＲかどうかを判断する。判断が肯定された場合には、ステップＳ３２で、第１機能表示部２１Ａ、第２機能表示部２２Ａ、第８機能表示部２８Ａ、第９機能表示部２９Ａへ、各々、ＷＩＤＥ、ＴＥＬＥ、ＤＩＳＰ、ＢＡＣＫの表示を行なう（図６（Ａ）参照）。一方、ステップＳ３０での判断が否定された場合には、第１機能表示部２１Ａ、第２機能表示部２２Ａ、第８機能表示部２８Ａ、第９機能表示部２９Ａへ、各々、ＢＡＣＫ、ＤＩＳＰ、ＴＥＬＥ、ＷＩＤＥ、の表示を行なう（図６（Ｂ）参照）。
【００３８】
このように、入力キーの機能の変更に対応させて、機能表示を変更することにより、適切な機能表示とすることができる。
【００３９】
なお、入力キーの機能表示は、必ずしも各入力キーの近傍に行なう必要はなく、図８に示すように、ＬＣＤ２０へ入力キー群Ｇの表示と共に行なってもよい。この場合にも、筐体１２の姿勢によって、表示が変更される。
【００４０】
また、本実施形態では、ＬＣＤ２０への文字その他の情報の表示は、光軸Ｏを中心とする１８０°毎に切り換えたが、９０°毎に切り換えてもよい。この場合には、図９に示すように、筐体１２の姿勢を、入力キー群Ｇが左側に位置する位置から４５°の範囲内の左状態ＧＲ（図９（Ａ）参照）、入力キー群Ｇが上側に位置する位置から４５°の範囲内の上状態ＧＵ（図９（Ｂ）参照）、入力キー群Ｇが右側に位置する位置から４５°の範囲内の右状態ＧＬ（図９（Ｃ）参照）、入力キー群Ｇが下側に位置する位置から４５°の範囲内の下状態ＧＤ（図９（Ｄ）参照）、とし、各々の位置の時に、ユーザーが見やすい方向の表示とする。
【００４１】
また、本実施形態では、レリーズボタン１６が、筐体１２の前面に設けられた例について説明したが、レリーズボタン１６は、図１０（Ｂ）に示すように、筐体１２の背面に設けてもよい。
【００４２】
［第２実施形態］
次に、第２実施形態について説明する。本実施形態では、第１実施形態と同様の部分については同一の符号を付して、詳細な説明は省略する。
【００４３】
本実施形態のデジタルカメラ７０は、図１１に示すように、筐体１２を備える。筐体１２の前面には、図１１（Ａ）に示すように、レンズ１４、レリーズボタン１６、及び、ストロボ発光部１８が第１実施形態と同様に配置されている。図１１（Ｂ）に示すように、筐体１２の背面には、ＬＣＤ７２が設けられている。ＬＣＤ７２は、筐体１２の背面のほぼ全面をカバーしている。
【００４４】
ＬＣＤ７２には、ズームキー（Ｗ）８１、ズームキー（Ｔ）８２、上キー８３、左キー８４、メニューキー８５、右キー８６、下キー８７、ＤＩＳＰキー８８、及び、ＢＡＣＫキー８９（これらを「タッチキー群Ｃ」という）が表示されている。各々のキーは、タッチキーとして機能しており、触れることにより各キーの機能に基づく動作が行なわれる。
【００４５】
図１２にデジタルカメラ７０の制御系の概略ブロック図を示す。デジタルカメラ７０の制御系の構成は、第１実施形態とほぼ同じである。ただし、入力キー群Ｇを有さないので、ＣＰＵ５０に入力キー群Ｇは接続されておらず、ＬＣＤ２０に表示されるタッチキー群ＣがＣＰＵ５０と接続されている。また、内部メモリ５２には、機能割り当てテーブルＴは記録されていない。
【００４６】
次に、本実施形態の作用について説明する。
【００４７】
ユーザーがデジタルカメラ７０を使用する場合には、デジタルカメラ７０の筐体１２を右手操作用状態Ｒ（図１１（Ａ）（Ｂ）参照）または、左手操作用状態Ｌ（図１１（Ｃ）（Ｄ）参照）とする。これにより、姿勢検知センサ３０から右姿勢信号ＳＲ、または左姿勢信号ＳＬがＣＰＵ５０へ出力され、ＣＰＵ５０では、図１３に示す、タッチキー群表示処理が実行される。
【００４８】
ステップＳ４０で、入力された信号が右姿勢信号ＳＲかどうかを判断する。判断が肯定された場合には、ステップＳ４２で、タッチキー群ＣをＬＣＤ７２の右端に表示するように表示制御部５４へ指示する。これにより、タッチキー群Ｃは、図１１（Ｂ）に示すように、ＬＣＤ７２の右端に表示される。
【００４９】
ステップＳ４０での判断が否定された場合には、ステップＳ４４で、タッチキー群ＣをＬＣＤ７２の左端に表示するように表示制御部５４へ指示する。これにより、タッチキー群Ｃは、図１１（Ｄ）に示すように、ＬＣＤ７２の左端に表示される。
【００５０】
本実施形態によれば、上記のように、タッチキー群Ｃの表示位置を変更するので、筐体１２が右手操作用状態Ｒのときの右手での操作感と、左手操作用状態Ｌのときの左手での操作感とを同じにすることができる。したがって、右利きのユーザーにも、左利きのユーザーにも同様の操作感を提供することができる。
【図面の簡単な説明】
【００５１】
【図１】第１実施形態のデジタルカメラの（Ａ）（Ｃ）は前面図であり、（Ｂ）（Ｄ）は背面図である。
【図２】第１実施形態のデジタルカメラの制御系の概略ブロック図である。
【図３】第１実施形態の機能割り当てテーブルである。
【図４】第１実施形態の機能割り当て処理のフローチャートである。
【図５】第１実施形態のデジタルカメラのＬＣＤへの文字表示の例である。
【図６】第１実施形態のデジタルカメラの変形例を示す図である。
【図７】図６に示す変形例のデジタルカメラで実行される機能表示処理のフローチャートである。
【図８】第１実施形態のデジタルカメラの他の変形例を示す図である。
【図９】第１実施形態のデジタルカメラの他の変形例を示す図である。
【図１０】第１実施形態のデジタルカメラの他の変形例を示す図である。
【図１１】第２実施形態のデジタルカメラの（Ａ）（Ｃ）は前面図であり、（Ｂ）（Ｄ）は背面図である。
【図１２】第２実施形態のデジタルカメラの制御系の概略ブロック図である。
【図１３】第２実施形態のタッチキー群表示処理のフローチャートである。
【符号の説明】
【００５２】
１０  デジタルカメラ（撮像装置）
１２  筐体
１４  レンズ（撮像用レンズ）
１６  レリーズボタン
２０  ＬＣＤ（表示部）
３０  姿勢検知センサ（姿勢検知手段）
５０  ＣＰＵ
Ｇ    入力キー群
Ｃ    タッチキー群
【図１】
2005333340.tif 000003
【図２】
2005333340.tif 000004
【図３】
2005333340.tif 000005
【図４】
2005333340.tif 000006
【図５】
2005333340.tif 000007
【図６】
2005333340.tif 000008
【図７】
2005333340.tif 000009
【図８】
2005333340.tif 000010
【図９】
2005333340.tif 000011
【図１０】
2005333340.tif 000012
【図１１】
2005333340.tif 000013
【図１２】
2005333340.tif 000014
【図１３】
2005333340.tif 000015